(57)【特許請求の範囲】
【請求項１】
便器上に載置して人が座る便座と、
人体局部を洗浄するための洗浄手段を備えたトイレ装置において、
洗浄水を噴出し下面にラックを有するノズルと、
前記ノズルを出し入れするピニオンギアを有するノズル駆動手段と、
前記ノズルと前記ノズル駆動手段を装着するノズルマウントと、
前記ノズルマウントに設けたトンネル状のノズル摺動部と、
前記ノズルを摺動自在に挿入した前記ノズル摺動部の下部に設けた開口部と、
前記開口部を介してラックとピニオンギアがかみ合い前記ノズルを駆動可能とし、
前記ノズル摺動部上部の前記ピニオンギアと対向する位置に設けた押さえ部と、
前記押さえ部の前記ノズルの上面との対向面にノズル摺動方向に沿って形成した溝と、
を備えたノズルユニットを備えたトイレ装置。
【請求項２】
押さえ部下面の前記溝は、前記ノズルの中央部に形成した請求項１に記載のノズルユニットを備えたトイレ装置。
【請求項３】
ノズル上面を凹状に形成した請求項１または２に記載のノズルユニットを備えたトイレ装置。
【請求項４】
前記ノズル上面の凹状と前記押さえ部下面の溝とが対向して形成された請求項３に記載のノズルユニットを備えたトイレ装置。
【発明の詳細な説明】
【技術分野】
【０００１】
本発明は、人体局部の洗浄などに使用されるトイレ装置のノズルユニットに関するものである。
【背景技術】
【０００２】
従来、この種のトイレ装置においては、人体局部を洗浄する人体局部洗浄装置はノズル支持台と、ノズル支持台の傾斜面に沿って摺動自在に支持された筒状のノズル本体と、ノズル本体に洗浄水を供給する給水ホースと、ノズル本体を摺動させるモータとラックとピニオンギアからなるノズル駆動手段を備え、ノズル本体はノズル支持台の下保持体と上押さえ体で摺動を案内する構成となっており、前記下保持体と上押さえ体はノズル本体の摺動面を少なくするため、上押さえ体の一部を切除して孔を設けている（例えば特許文献１参照）。
【特許文献１】特開２００３−２９３４３０号公報
【発明の開示】
【発明が解決しようとする課題】
【０００３】
しかしながら前記従来の構成では、ノズル本体が上押さえ体の孔より上方に飛び出すことにより、ピニオンギアとノズル本体のラックの噛み合わせがずれる事により乗り上げてしまい、異音が発生する課題を有していた。噛み合わせが悪くなる原因について、ノズル本体は樹脂材料を成型したものを一般的に使用しており、樹脂の成型条件により上方に反ってしまう傾向にある。反ったノズル本体の下部に一体に成型したラックは本来の位置より上方に位置する事により、ラックとピニオンギアとの噛み合わせが浅くなってしまうため、ピニオンギアの歯車がノズル本体のラック部分を乗り上げてしまいピニオンギアとラックのずれにより異音が発生する課題があった。また、ノズル本体の収納時にモータにより無理な力がノズル本体にかかった場合、異音が発生する課題があった。
【０００４】
本発明は前記従来の課題を解決するもので、成型上おこるノズル本体の反りによる問題を解決し、また、ノズル本体の収納時にモータにより無理な力がノズル本体にかかった場合においても、ノズル本体のラック部分と駆動するピニオンギアのかみ合わせの不具合による異音の発生を防ぐトイレ装置を提供することを目的とする。
【課題を解決するための手段】
【０００５】
前記従来の課題を解決するために、本発明のトイレ装置は、
便器上に載置して人が座る便座と、
人体局部を洗浄するための洗浄手段を備えたトイレ装置において、
洗浄水を噴出し下面にラックを有するノズルと、
前記ノズルを出し入れするピニオンギアを有するノズル駆動手段と、
前記ノズルと前記ノズル駆動手段を装着するノズルマウントと、
前記ノズルマウントに設けたトンネル状のノズル摺動部と、
前記ノズルを摺動自在に挿入した前記ノズル摺動部の下部に設けた開口部と、
前記開口部を介してラックとピニオンギアがかみ合い前記ノズルを駆動可能とし、
前記ノズル摺動部上部の前記ピニオンギアと対向する位置に設けた押さえ部と、
前記押さえ部の前記ノズルの上面との対向面にノズル摺動方向に沿って形成した溝と、
を備えたものである。
【０００６】
これによって成型加工の影響により反ったノズルが駆動する際や、ノズルの収納時にモータにより無理な力がノズルにかかった場合も、ピニオンギアとノズルのラックのかみ合わせが悪くならず、異音の発生を防止する事が出来る。
【０００７】
この場合、特に押さえ部のノズルの上面との対向面に、ノズル摺動方向に沿って形成された前記溝により、洗浄時にノズルに水滴が付着し、洗浄後ノズルをノズル摺動部に収納
した場合、その水滴が溝を伝ってノズルの先方に流れ、便器内に流出するため、水抜きがしやすくでき、ノズル表面の汚れを軽減することができる。
【発明の効果】
【０００８】
本発明のトイレ装置は、ノズルに反りが生じた場合やノズルの収納時にモータにより無理な力がノズルにかかった場合において、ノズルを駆動するピニオンギアとノズル下面のラックのかみ合わせがずれる事なく、乗り上げによる異音の発生を防ぐことができる。また、ノズル表面の汚れを軽減することができる。
【発明を実施するための最良の形態】
【０００９】
第１の発明は、便器上に載置して人が座る便座と、
人体局部を洗浄するための洗浄手段を備えたトイレ装置において、
洗浄水を噴出し下面にラックを有するノズルと、
前記ノズルを出し入れするピニオンギアを有するノズル駆動手段と、
前記ノズルと前記ノズル駆動手段を装着するノズルマウントと、
前記ノズルマウントに設けたトンネル状のノズル摺動部と、
前記ノズルを摺動自在に挿入した前記ノズル摺動部の下部に設けた開口部と、
前記開口部を介してラックとピニオンギアがかみ合い前記ノズルを駆動可能とし、
前記ノズル摺動部上部の前記ピニオンギアと対向する位置に設けた押さえ部と、
前記押さえ部の前記ノズルの上面との対向面にノズル摺動方向に沿って形成した溝と、
を備えたことにより、ノズルが成型加工の影響により反りが発生した場合でも、ピニオンギアとノズルのラックのかみ合わせがずれる事がなく、異音の発生を防ぐことができる。また、ノズルの収納時にノズル駆動手段により無理な力がノズルにかかった場合においても、ピニオンギアとノズルのラックのかみ合わせがずれる事なく、異音の発生を防ぐことができる。
【００１０】
この場合、特に押さえ部のノズルの上面との対向面に、ノズル摺動方向に沿って形成された前記溝により、洗浄時にノズルに水滴が付着し、洗浄後ノズルをノズル摺動部に収納した場合、その水滴が溝を伝ってノズルの先方に流れ、便器内に流出するため、水抜きがしやすくでき、ノズル表面の汚れを軽減することができる。
【００１１】
第２の発明は、特に第１の発明において、押さえ部下面の前記溝は、前記ノズルの中央部に形成したことにより、ノズル本体が成型加工時の影響で反りが生じた場合や、モータによるピニオンギアよりノズルのラックに余分な力が加わった等の、ノズルのラックとピニオンギアのかみ合わせにずれが生じる要因の現象が起こった場合、押さえ部によりノズルにかかる力を抑える事ができ、かみ合わせの不具合が生じず異音の発生を防ぐことができる。
【００１２】
第３の発明は、特に第１または第２の発明のノズル上面を凹状に形成したことにより、押さえ部とノズル上面との接触面を減らすことができる。そうすることにより、接触面による抵抗を減らし、ノズル駆動手段に対する負荷を減らすことができる。
【００１３】
第４の発明は、特に第３の発明のノズル上面の凹状と前記押さえ部下面の溝とが対向して形成されたことにより、ノズル摺動部の押さえ部との接触面積を減らすことができため、ノズル本体と押さえ部の抵抗を少なくすることができ、モータにかかる負荷を減らす事ができ、よりスムーズにノズルの駆動が可能となる。また、ノズルに付着した水滴をノズルの先方に速やかに流れやすくすることができる。
【００１４】
以下、本発明の実施の形態について、図面を参照しながら説明する。なお、本実施の形態によって本発明が限定されるものではない。
【００１５】
（実施の形態１）
図１は、本発明の第１の実施例におけるトイレ装置のノズルユニットの断面図を示し、図２はノズルユニットの上部を中心とした要部斜視図を示し、図３はノズルユニットの押さえ部の要部断面図を示すものである。
【００１６】
図に示すように本実施の形態におけるノズルユニットは、略直角三角形のノズル支持台であるノズルマウント１の傾斜面に設けたトンネル状のノズル摺動部２にビデ用と肛門用のそれぞれ筒状のノズル３を挿入し、ノズル３はノズルマウント１の傾斜面に沿って便器内に出没するようになっている。ノズル３の下面には歯形状のラック４が一体に形成してある。
【００１７】
ノズル摺動部２の上部にはノズル３が上方に外れることを防止する押さえ部５が形成してあり、押さえ部５の中央部には上方に凹形状の溝６が形成してあり、ノズル３の上面と押さえ部５との隙間は中央部では大きく開いた状態となっている。
【００１８】
また、ノズル摺動部２の下部には開口部７を備えてあり、開口部７の下方にはピニオンギア８とモータ９を備えたノズル駆動手段１０が設置してあり、ピニオンギア８とノズル３のラック４は開口部７を介して互いにかみ合った状態となっている。
【００１９】
また、ノズル摺動部２の先端部にはノズル２に汚れが付着する事を防ぐノズルシャッター９を備えている。
【００２０】
以上のように構成されたトイレ装置について、以下その動作、作用を説明する。
【００２１】
トイレ装置本体内の制御部（図示せず）よりノズル駆動の制御信号が送信されると、ノズル駆動手段１０のモータ９に通電が開始し、ピニオンギア８が回転することによりピニオンギア８とかみ合ったラック４が駆動されることにより、ノズル３は摺動を開始する。
【００２２】
このとき、ノズル３が成型加工時の影響により多少反りをともなった形状であっても、押さえ部５により、ノズル３を上方から保持する構成となっているため、ノズル３が上方に移動することを抑制するため、ラック４とピニオンギア８は常に良好なかみ合い状態を維持することができる。
【００２３】
また、押さえ部５の中央部に設けた溝６は、洗浄時にノズル３に水滴が付着し、洗浄後ノズル３をノズル摺動部２に収納した場合、その水滴が溝６を伝ってノズル３の先方に流れ、便器内に流出するため、水抜きがしやすくでき、ノズル表面の汚れを軽減することができる。
【００２４】
以上のように本実施の形態においては、ノズル摺動部に押さえ部を設け、その中央部に溝を設けることにより、ノズル本体が成型加工時の影響で反りが生じた場合や、モータによるピニオンギアよりノズルのラックに余分な力が加わった等の、ノズルのラックとピニオンギアのかみ合わせにずれが生じる要因の現象が起こった場合、押さえ部によりノズルにかかる力を抑える事ができ、かみ合わせの不具合が生じず異音の発生を防ぐ事ができる。
【００２５】
なお、本実施の形態においてはノズル３の上面はフラットな形状としたが、図４に示すように上面が凹状をなすノズル１１とすることにより、ノズル摺動部２の押さえ部５との接触面積を減らすことができため、ノズル１１と押さえ部５の抵抗を少なくすることができ、モータにかかる負荷を減らす事ができる、よりスムーズにノズルの駆動が可能となる
。また、ノズルに付着した水滴をノズルの先方に速やかに流れやすくすることができる。
【００２６】
（実施の形態２）
図５は、第２の実施の形態におけるノズルユニットの押さえ部の要部断面図を示すものである。
【００２７】
本実施の形態が第１の実施の形態と異なっているところは、図５に示すようにノズル１２の上面が曲面をなしているてんであり、これにともない、押さえ部１３の形状がノズル１２の上面の形状に沿った形状となっており、上記構成とすることにより、実施の形態１と同様ノズルのラックとピニオンギアのかみ合わせがずれる事なく、異音の発生を防ぐ事ができる。
【図面の簡単な説明】
【００２８】
【図１】本発明の実施の形態１におけるノズルユニットの断面図
【図２】本発明の実施の形態１におけるノズルユニットの要部斜視図
【図３】本発明の実施の形態１における押さえ部の要部断面図
【図４】本発明の実施の形態１における別の形状の押さえ部の要部を示す図
【図５】本発明の実施の形態２における押さえ部の要部断面図
【符号の説明】
【００２９】
１  ノズルマウント
２  ノズル摺動部
３、１１、１２  ノズル
４  ラック
５、１３  押さえ部
７  開口部
８  ピニオンギア
１０  ノズル駆動手段
【図１】
0004715355.tif 000002
【図２】
0004715355.tif 000003
【図３】
0004715355.tif 000004
【図４】
0004715355.tif 000005
【図５】
0004715355.tif 000006